(57)【要約】      （修正有）【課題】２ｍ４０ｃｍ〜２ｍ６０ｃｍの天井高さにおいても、簡単にロフト部を形成でき、居住空間をより広く形成するとともに住戸の建築費用を低減することができる住戸用の収納付きロフト構造を提供する。【解決手段】天井高さを２ｍ４０ｃｍ〜２ｍ６０ｃｍとする居室部１３ｂに面する複数の居室側収納部２１ｂと、この複数の居室側収納部と対応する高さであり、居住者の重量に耐える強度を持つ支持部材２３と、複数の居室側収納部の上部および支持部材の上部を一体的に接続して、天井との間で居住空間１３を形成するロフト部２２と、を有する住戸用の収納付きロフト構造２であって、複数の居室側収納部は、スーツの上衣又はジャケットを折り畳むことなく収納可能な高さに形成されている。【選択図】図３
0003193823.tif 000002
【実用新案登録請求の範囲】
【請求項１】
天井高さを２ｍ４０ｃｍ〜２ｍ６０ｃｍとする居室部に面する複数の居室側収納部と、
前記複数の居室側収納部と対応する高さであり、居住者の重量に耐える強度を持つ支持部材と、
前記複数の居室側収納部の上部および前記支持部材の上部を一体的に接続して、前記天井との間で居住空間を形成するロフト部と、を有する住戸用の収納付きロフト構造であって、
前記複数の居室側収納部は、スーツの上衣又はジャケットを折り畳むことなく収納可能な高さに形成されていることを特徴とする住戸用の収納付きロフト構造。
【請求項２】
前記居室部は、隣接して複数配列されており、
前記複数の居室側収納部は、前記隣接する各居室部に面するように、前記支持部材を挟んで背中合わせに配置されていることを特徴とする請求項１に記載の住戸用の収納付きロフト構造。
【考案の詳細な説明】
【技術分野】
【０００１】
本考案は、住戸用の収納付きロフト構造に関し、より詳しくは、２ｍ４０ｃｍ〜２ｍ６０ｃｍの天井高さとする住戸用の収納付きロフト構造に関する。
【背景技術】
【０００２】
一般的に、マンションやアパート等の集合住宅において、建築基準法による規制（道路斜線制限、隣地斜線制限、日影規制、建蔽率、容積率などの規制）を受けるため、各階の天井高さを２ｍ４０ｃｍ〜２ｍ６０ｃｍに設定して、より多くの住戸が配置されるように形成されている。近年、このような天井高さの集合住宅において、より広い居住空間を形成するために各種建築構造が鋭意研究されている。
【０００３】
例えば、特許文献１（従来例）には、図６に示すように、天井の高い空間と天井の低い空間を上下階に連続して配置し、天井の低い空間を洗面所、トイレ、浴室等の水回りの空間とし、天井の高い空間をリビング・ダイニング１１７などの居住空間とするとともにロフトを形成することで、天井の高い空間の上方を有効利用することができる集合住宅の天井構造が開示されている。
【先行技術文献】
【特許文献】
【０００４】
【特許文献１】特開２００２−２１３０９１号公報
【考案の概要】
【考案が解決しようとする課題】
【０００５】
しかし、特許文献１に開示された集合住宅の天井構造は、図６に示すように、天井に段差を設けてロフトを形成するための天井高さを確保するため、フラットな天井に比べて、天井の構造が複雑となり、住戸を建築するための建築費用が嵩む問題があった。
【０００６】
本考案は、上述した事情に鑑みてなされるものであって、ロフト部の下部を構成する複数の居室側収納部の高さを、スーツの上衣又はジャケットを折り畳むことなく収納可能な高さにすることで、２ｍ４０ｃｍ〜２ｍ６０ｃｍの天井高さにおいても、ロフト部を簡単に形成して、より広い居住空間を形成するとともに住戸の建築費用を低減することができるロフト付き住戸を提供することを目的とする。
【課題を解決するための手段】
【０００７】
上記課題を解決するためになされた請求項１に記載の考案は、天井高さを２ｍ４０ｃｍ〜２ｍ６０ｃｍとする居室部に面する複数の居室側収納部と、前記複数の居室側収納部と対応する高さであり、居住者の重量に耐える強度を持つ支持部材と、前記複数の居室側収納部の上部および前記支持部材の上部を一体的に接続して、前記天井との間で居住空間を形成するロフト部と、を有する住戸用の収納付きロフト構造であって、前記複数の居室側収納部は、スーツの上衣又はジャケットを折り畳むことなく収納可能な高さに形成されていることを特徴とする。
【０００８】
請求項１に記載の考案によれば、居室側収納部をスーツの上衣又はジャケットを折り畳むことなく収納可能な高さに形成することで、居室側収納部の上部におけるロフト部の床面の高さを低くして、２ｍ４０ｃｍ〜２ｍ６０ｃｍとする天井高さでも、簡単にロフト部を形成して、より広い居住空間を形成するとともに、住戸を建築する費用も低減することができる。
【０００９】
請求項２に記載の考案は、請求項１に記載の住戸用の収納付きロフト構造であって、前記居室部は、隣接して複数配列されており、前記複数の居室側収納部は、前記隣接する各居室部に面するように、前記支持部材を挟んで背中合わせに配置されていることを特徴とする。
【００１０】
請求項２に記載の考案によれば、隣接した複数の居室部に面する居室側収納部の上部を一体的に接続することで、収納スペースを確保した状態で、より広い居住空間とするロフト部を形成することができる。
【考案の効果】
【００１１】
本考案によれば、ロフト部の下部を構成する複数の居室側収納部の高さを、スーツの上衣又はジャケットを折り畳むことなく収納可能な高さにすることで、２ｍ４０ｃｍ〜２ｍ６０ｃｍの天井高さにおいても、ロフト部を簡単に形成して、より広い居住空間を形成するとともに住戸の建築費用を低減することができるロフト付き住戸を提供することができる。
【図面の簡単な説明】
【００１２】
【図１】第１実施形態の住戸用の収納付きロフト構造を適用した住戸を有する集合住宅を示す概略図である。
【図２】図１の集合住宅における複数の住戸の配置関係を示す概略図である。
【図３】第１実施形態の住戸用の収納付きロフト構造を適用した住戸を示す平面図である。
【図４】（a）は図３のＡ−Ａ線から見た立面図であり、（ｂ）はロフト部の平面図であり、（ｃ）は（ｂ）のＢ−Ｂ線で切断した断面図である。
【図５】第二実施形態の住戸用の収納付きロフト構造を適用した住戸を示す平面図である。
【図６】従来例の集合住宅における各階を示す概略図である。
【考案を実施するための形態】
【００１３】
以下、本考案を図面に示す実施形態に基づいて説明する。
（第１実施形態）
本考案の住戸用の収納付きロフト構造２を有する集合住宅１に関して、図１乃至３を用いて説明する。
図１は第１実施形態の住戸用の収納付きロフト構造２を適用した住戸１１を有する集合住宅１を示す概略図であり、図２は図１の集合住宅１における複数の住戸１１の配置関係を示す概略図であり、図３は第１実施形態の住戸用の収納付きロフト構造２を適用した住戸１１を示す平面図である。
【００１４】
図１および２に示すように、第１実施形態の住戸用の収納付きロフト構造２を適用した住戸１１を有する集合住宅１は、例えば１５階建であり、１階を除く各階に例えば４つの住戸１１が配置されている。集合住宅１における各階の天井（不図示）はフラットに形成されている。また、居住者の快適性の確保および建築基準法を満たし、かつより多くの住戸１１を形成するために、各階の天井高さは２ｍ４０ｃｍ〜２ｍ６０ｃｍに設定されている。
【００１５】
図３に示すように、第１実施形態の住戸１１は、一戸一戸の生活空間１２（後述の居住空間１３と後述の水回りの空間１４を有する空間）を囲う外壁１１aと、外通路１１bに面し、居住者が生活空間１２内への出入りを許容する玄関１１cと、外通路１１bの反対側に位置し、外壁１１aから突き出して形成されたバルコニー１１eとを有する。
【００１６】
玄関１１cからバルコニー１１eへ延びるように廊下１１ｄが形成されており、廊下１１ｄの奥側には、バルコニー１１eに面するダイニングキッチン１１ｆが形成されている。廊下１１ｄを挟むように左右両側には、居住空間１３となる居室部１３a、１３ｂ（洋室または和室など）が形成されるとともに、水回りの空間１４となる洗面所１４a、トイレ１４ｂ、浴室１４ｃなどが形成されている。
【００１７】
各居室部１３a、１３ｂには、図３に示すように、居住者の用途に合った収納部２1が形成されている。具体的には、廊下１１ｄの左側に位置する居室部１３aには、床１５から天井まで延びる居室側収納部２１aが形成されており、廊下１１ｄの右側に位置する２つの居室部１３ｂの間には、スーツの上衣又はジャケットを折り畳むことなく収納可能な高さである複数の居室側収納部２１ｂおよび廊下側収納部２１ｃが形成されている。
【００１８】
各居室部１３a、１３ｂに形成された居室側収納部２１a、２１ｂの高さを変えることで、コートなどのスーツの上衣又はジャケットよりも長い衣類等に関しては居室部１３aの居室側収納部２１aに収納し、スーツの上衣又はジャケット以下の長さの衣類等に関しては居室部１３ｂの居室側収納部２１ｂに収納することができる。
【００１９】
図３に示すように、２つの居室部１３ｂの間には、本実施形態の住戸用の収納付きロフト構造２を適用した複数の居室側収納部２１ｂおよび廊下側収納部２１ｃ等の上部を一体的に接続したロフト部２２が形成されている。
【００２０】
次に、本実施形態の住戸用の収納付きロフト構造２に関して図３および４を用いて詳細に説明する。図４（a）は図３のＡ−Ａ線から見た立面図であり、（ｂ）はロフト部２２のの平面図であり、（ｃ）は（ｂ）のＢ−Ｂ線で切断した断面図である。
【００２１】
本実施形態の住戸用の収納付きロフト構造２は、図３および図４（ｃ）に示すように、天井高さを２ｍ４０ｃｍ〜２ｍ６０ｃｍとする居室部１３ｂに面する複数の居室側収納部２１ｂと、居室側収納部２１ｂと同じ高さであり、廊下１１ｄに面する廊下側収納部２１ｃと、複数の居室側収納部２１ｂと廊下側収納部２１ｃの間に位置し、居室側収納部２１ｂと対応する高さ（居室側収納部２１ｂと同じ高さ又はそれよりも低い高さ）であり、居住者の重量に耐えることが可能な強度を持つ支持部材２３と、複数の居室側収納部２１ｂ、廊下側収納部２１ｃおよび支持部材２３の、各上部を一体的に接続して、天井との間で居住空間１３を形成するロフト部２２と、を有する。
【００２２】
居室側収納部２１ｂおよび廊下側収納部２１ｃは、単に衣類等を収納することのみを目的とする通常のクローゼット（以下、通常のクローゼットと言う）であり、例えば薄板状の木材を組み合わせたものである。居室側収納部２１ｂと廊下側収納部２１ｃは、スーツの上衣又はジャケットを折り畳むことなく収納可能な高さに形成されており、例えば１ｍ〜１ｍ４５ｃｍの高さに形成されている。
【００２３】
居室側収納部２１ｂおよび廊下側収納部２１ｃは、高さを低くするために、各収納扉２1dと床１５との段差が極力生じないように形成されている。すなわち、居室側収納部２１ｂおよび廊下側収納部２１ｃは、最下部に取り付けられ、床１５との境目となる巾木を設けないことで、床１５に対する居室側収納部２１ｂおよび廊下側収納部２１ｃの高さが極力低くなるように形成されている。
【００２４】
図３に示すように、複数の居室側収納部２１ｂは、支持部材２３を挟んで背中合わせに配置されており、各居室側収納部２１ｂの内側には水平方向に延びるハンガーパイプ２１ｆが形成されている。このハンガーパイプ２１ｆにスーツの上衣又はジャケットを掛けたハンガーを吊り下げることができる。
【００２５】
ここで、複数の居室側収納部２１ｂは、同じ大きさおよび形状に形成しても良い。このように複数の居室側収納部２１ｂの大きさおよび形状を統一することで、各居室部１３ｂに設ける居室側収納部２１ｂの製造費用を低減することができる。
【００２６】
支持部材２３は、例えば、厚みのある角材などの強度の高い部材であり、複数の居室側収納部２１ｂと廊下側収納部２１ｃの間を埋めるように配置されており、隣接する居室部１３ｂを仕切るように形成されている。
【００２７】
ロフト部２２は、図３に示すように、複数の居室側収納部２１ｂ、廊下側収納部２１ｃおよび支持部材２３の各上部を一体的に接続するように形成されており、天井とロフト部２２との間に形成された居住空間の高さが１ｍ以上確保できるように形成されている。隣接する居室部１３ｂの一方側にはロフト部２２へ出入りするための昇降用梯子２４が形成されており、居室部１３ｂの他方側にはロフト部２２から天井まで延びる仕切り壁２５が形成されている。ロフト部２２における居室部１３ｂの他方側に形成された仕切り壁２５により、居室部１３ｂにおける一方側の空間と他方側の空間が独立した空間となり、隣接した各居室部１３ｂを居住者の利用目的に応じて利用することができる。
【００２８】
本実施形態の住戸用の収納付きロフト構造２は、居室側収納部２１ｂおよび廊下側収納部２１ｃの高さをスーツの上衣又はジャケットを折り畳むことなく収納可能な高さにして、ロフト部２２の床面の高さを極力低く形成することで、天井高さが２ｍ４０ｃｍ〜２ｍ６０ｃｍの住戸１１であっても、簡単にロフト部２２を形成することができる。このように、本実施形態の収納付きロフト構造２は、天井高さが２ｍ４０ｃｍ〜２ｍ６０ｃｍの住戸１１であっても、簡単にロフト部２２を形成することができるため、居住空間１３をより広く形成するとともに、フラットな天井構造による簡略化により住戸１１を建築する建築費用も低減することができる。
【００２９】
本実施形態の住戸用の収納付きロフト構造２は、ロフト部２２の下部に複数の居室側収納部２１ｂおよび廊下側収納部２１ｃが形成されているため、広い収納スペースも確保することができる。
【００３０】
また、本実施形態の住戸用の収納付きロフト構造２は、ロフト部２２に上がった居住者の重量を支持部材２３で受ける構造とすることで、居室側収納部２１ｂおよび廊下側収納部２１ｃ自体に居住者の重量に耐える強度を持たせる必要がないため、通常のクローゼットをこれらの居室側収納部２１ｂおよび廊下側収納部２１ｃとして適用することができる。この構成により、本実施形態の住戸用の収納付きロフト構造２は、複数の居室側収納部２１ｂおよび廊下側収納部２１ｃに通常のクローゼットを適用することで、ロフト部２２等を形成するための費用を低減することができる。
【００３１】
さらに、本実施形態の住戸用の収納付きロフト構造２においては、廊下側収納部２１ｃが、支持部材２３を介して背中合わせに配置された複数の居室側収納部２１ｂの配列方向と直交する方向（廊下１１ｄに面する方向）に配置されており、廊下側収納部２１ｃの側面が居室部１３ｂの一方に面する構成としているため、居室部１３ｂの一方に配置した昇降用梯子２４が廊下側収納部２１ｃの収納扉２１eの開閉の障害となることもない。
【００３２】
（第２実施形態）
第２実施形態の住戸用の収納付きロフト構造２’は、居室側収納部２１ｂ、廊下側収納部２１ｃ、支持部材２３およびロフト部２２が、居室部１３ｂと居住者が出入り可能な収納室２６との間に形成されている構成のみが異なるため、これらの異なる構成のみを説明し、他の構成については同じ構成であるため説明を省略する。
【００３３】
図５は、第二実施形態の住戸用の収納付きロフト構造２’を適用した住戸１１’を示す平面図である。
【００３４】
図５に示すように、廊下１１ｄの右側には、居室部１３ｂと、居室部１３ｂに隣接して形成された収納室２６とが形成されている。収納室２６は、例えばウォークインクローゼットなどの居住者が出入り可能な大きさに形成されている。収納室２６の一方の側壁面には、複数の居室側収納部２１ｂが形成されており、収納室２６の他方の側壁面には、収納室２６の幅方向に延びるハンガーパイプ２６aと、ハンガーパイプ２６aの上部に形成された収納棚２６ｂが形成されている。このように収納室２６の両側面において収納スペースを設けることで、より多くの衣類等を収納することができるように形成されている。
【００３５】
図５に示すように、本実施形態の住戸用の収納付きロフト構造２’は、居室部１３ｂと収納室２６との間に、複数の居室側収納部２１ｂ、廊下側収納部２１ｃ、支持部材２３およびロフト部２２が位置するように形成されている。複数の居室側収納部２１ｂは、居室部１３ｂおよび収納室２６に面するように支持部材２３を挟んで背中合わせに配置されており、支持部材２３は、複数の居室側収納部２１ｂおよび廊下側収納部２１ｃの間を埋めるように形成されている。また、ロフト部２２は、複数の居室側収納部２１ｂの上部および廊下側収納部２１ｃの上部を一体的に接続して、天井との間で１ｍ以上の高さを有する居住空間１３を形成する。
なお、居室部側収納部２１ｂ、廊下側収納部２１ｃ、支持部材２３およびロフト部２２の他の構成に関しては、第１実施形態と同じ構成であるため、ここでの説明は省略する。
【００３６】
このように、本実施形態の住戸用の収納付きロフト構造２’においても、居室部１３ｂと収納室２６との間に位置する居室側収納部２１ｂおよび廊下側収納部２１ｃをスーツの上衣又はジャケットを折り畳むことなく収納可能な高さにして、これらの上部に形成されるロフト部２２の床面の高さを低くすることで、居室部１３ｂの天井高さが２ｍ４０ｃｍ〜２ｍ６０ｃｍの場合であっても、ロフト部２２を簡単に形成することができる。これにより、本実施形態の住戸用の収納付きロフト構造２’は、天井高さを２ｍ４０ｃｍ〜２ｍ６０ｃｍとする居室部１３ｂにおいても簡単にロフト部２２を形成することで、より広い居住空間１３を実現するとともに、住戸１１’を建築するための建築費用も低減することができる。
【００３７】
また、本実施形態の住戸用の収納付きロフト構造２’は、収納室２６に面する居室側収納部２１ｂの上部を、居室側収納部２１ｂの上部および廊下側収納部２１ｃの上部と一体的に接続してロフト部２２を形成することで、ロフト部２２の居住空間１３として収納室２６の一部のスペースも有効利用することができる。これにより、本実施形態の住戸用の収納付きロフト構造２’は、より広い居住空間１３を形成することができる。
【００３８】
（他の実施形態）
第１実施形態および第２実施形態の住戸用の収納付きロフト構造２、２’として、複数の居室側収納部２１ｂの上部および廊下側収納部２１ｃの上部を一体的に接続してロフト部２２を形成するものとして説明したが、幅方向に並ぶ複数の居室側収納部２１ｂを合計した長さが、居室部１３ｂの幅と対応する長さとなるように、各居室側収納部２１ｂの幅を広げて形成し、このように広げた各居室側収納部２１ｂの上部を一体的に接続してロフト部２２を形成する構成としても良い。この構成により、各居室部１３ｂに面する居室側収納部２１ｂの収納スペースをより大きく形成し、より多くの衣類等を収納することができる。この場合において、さらに支持部材２３を背中合わせとなる複数の居室側収納部２１ｂの間のみに位置させて、より居室側収納部２１ｂの幅を広く形成することで、より広い収納スペースを形成することができる。
【００３９】
第１実施形態および第２実施形態の住戸用の収納付きロフト構造２、２’として、ロフト部２２の下部を構成する複数の居室側収納部２１ｂを背中合わせに配置するものとして説明したが、居室側収納部２１ｂの幅方向に複数の居室側収納部２１ｂを配置してロフト部２２の下部を構成するものとしても良い。この場合、居室側収納部２１ｂの奥行きをより深く形成すると良い。居室側収納部２１ｂの奥行きを深く形成するために、さらに支持部材２３を居室側収納部２１ｂの両側に沿うように形成するものとしても良い。
【００４０】
第１実施形態および第２実施形態の住戸用の収納付きロフト構造２、２’において、廊下１１ｄに面するように廊下側収納部２１ｃ（通常のクローゼット）を形成されているものとして説明したが、特にこれに限られるものではなく、廊下１１ｄに面するようにスタディブース（不図示）を形成しても良い。具体的には、スタディブースとして、居室側収納部２１ｂと対応する高さの空間を形成し、その奥側に机を設けるように形成する。このスタディブースにおいては、居住者が椅子に座って机で作業をするため、居住者が椅子に座った際の高さのみを確保することができれば良く、スタディブースの高さを居室側収納部２１ｂと対応する高さに形成することができる。これにより、第１実施形態および第２実施形態の住戸用の収納付きロフト構造２、２’と同様に、複数の居室側収納部２１ｂの上部とスタディブースの上部を一体的に接続してロフト部２２を形成することができる。
【００４１】
また、第１実施形態および第２実施形態の住戸用の収納付きロフト構造２、２’を、廊下１１ｄの右側に位置する２つの居室部１３ｂの間または居室部１３ｂと収納室２６の間で適用するものとして説明したが、廊下１１ｄの右側のみならず、他の場所に配置された隣接する２つの居住空間１３との間または居住空間１３と収容空間との間で適用しても良い。
【００４２】
さらに、第１実施形態および第２実施形態の住戸用の収納付きロフト構造２、２’を、１５階建で各階に４つの住戸１１、１１’を形成する集合住宅１に適用するものとして説明したが、各階の天井高さが２ｍ４０ｃｍ〜２ｍ６０ｃｍからなる集合住宅１であれば良い。
【００４３】
本考案は、その精神または主要な特徴から逸脱することなく、他の様々な形で実施することができる。そのため、前述の実施の形態はあらゆる点で単なる例示に過ぎず、限定的に解釈してはならない。本考案の範囲は、実用新案登録請求の範囲によって示すものであって、明細書本文には、なんら拘束されない。さらに、実用新案登録請求の範囲の均等範囲に属する全ての変形、様々な改良、代替および改質は、すべて本考案の範囲内のものである。
【符号の説明】
【００４４】
１…集合住宅
１１、１１’…住戸      １１a…外壁      １１ｂ…外通路      １１ｃ…玄関      １１ｄ…廊下      １１e…バルコニー      １１ｆ…ダイニングキッチン    １２…生活空間    １３…居住空間      １３a、１３ｂ…居室部      １４…水回りの空間      １４a…洗面所      １４ｂ…トイレ      １４ｃ…浴室    １５…床
２、２’…住戸用の収納付きロフト構造
２１…収納部      ２１a、２１ｂ…居室側収納部      ２１ｃ…廊下側収納部      ２１ｄ、２１e…収納扉      ２１f…パイプハンガー    ２２…ロフト部    ２３…支持部材    ２４…昇降用梯子    ２５…仕切り壁    ２６…収納室      ２６a…パイプハンガー      ２６ｂ…収納棚
【図１】
0003193823.tif 000003
【図２】
0003193823.tif 000004
【図３】
0003193823.tif 000005
【図４】
0003193823.tif 000006
【図５】
0003193823.tif 000007
【図６】
0003193823.tif 000008